(57)【要約】      （修正有）【課題】希望する場所で組立てて基礎構造物を製造できる組立式基礎ブロックを提供する。【解決手段】ブロック本体１を有する組立式基礎ブロックであって、ブロック本体１の上面に設けられた１又は複数の凸部３ａ、３ｂ、３ｃ、３ｄと、ブロック本体１の下面に設けられた１又は複数の凹部５ａ、５ｂ、５ｃ、５ｄであって、１又は複数の凸部３ａ、３ｂ、３ｃ、３ｄに対応した位置に設けられ、１又は複数の凸部３ａ、３ｂ、３ｃ、３ｄを収容できる形状を有するものとを有し、ブロック本体１は、ブロック本体１に柱を通すための建柱穴７と、ブロック本体１を貫通する貫通穴９と、ブロック本体１の上面から途中まで続く穴であるインサート１１をさらに有する。【選択図】図１
2019214875.tif 000002
【特許請求の範囲】
【請求項１】
ブロック本体（１）を有する組立式基礎ブロックであって，
前記ブロック本体（１）の上面に設けられた１又は複数の凸部（３ａ，３ｂ，３ｃ，３ｄ）と，
前記ブロック本体（１）の下面に設けられた１又は複数の凹部（５ａ，５ｂ，５ｃ，５ｄ）であって，前記１又は複数の凸部（３ａ，３ｂ，３ｃ，３ｄ）に対応した位置に設けられ，前記１又は複数の凸部（３ａ，３ｂ，３ｃ，３ｄ）を収容できる形状を有するものと，を有し，
前記ブロック本体（１）は，
前記ブロック本体（１）を貫通する貫通穴（９）と，前記ブロック本体（１）の上面から途中まで続く穴であるインサート（１１）をさらに有する，組立式基礎ブロック。
【請求項２】
請求項１に記載の組立式基礎ブロックであって，
前記ブロック本体（１）の中心を通って貫通する穴であり，前記ブロック本体（１）に柱を通すための建柱穴（７）をさらに有する，組立式基礎ブロック。
【請求項３】
請求項１に記載の組立式基礎ブロックであって，
前記ブロック本体（１）の上面は正方形であり，
前記１又は複数の凸部は，前記ブロック本体（１）の上面の中点について９０°回転対称となる位置に設けられた４つの凸部である，組立式基礎ブロック。
【請求項４】
請求項１に記載の組立式基礎ブロックであって，
前記貫通穴（９）及び前記インサート（１１）をそれぞれ２つ有し，
それぞれの前記貫通穴（９）を，ブロック本体（１）の上面の中点について９０°回転させた位置には，前記インサート（１１）が位置する，組立式基礎ブロック。
【発明の詳細な説明】
【技術分野】
【０００１】
この発明は，組立式基礎ブロックに関する。
【背景技術】
【０００２】
特許３８４１８０９号公報には，基礎構造（基礎構造物）が記載されている。基礎構造は，一般的に大きく重い。このため基礎構造を運搬するためには，重機が必要とされた。
【先行技術文献】
【特許文献】
【０００３】
【特許文献１】特許３８４１８０９号公報
【発明の概要】
【発明が解決しようとする課題】
【０００４】
本発明は，上記の課題を解決するため，基礎構造を分割して軽量化し，希望する場所で組立てて基礎構造物を製造できるような組立式基礎ブロックを提供することを目的とする。
【課題を解決するための手段】
【０００５】
本発明は，基本的には，基礎ブロックの上面に凸部を設けるとともに，基礎ブロックの下部にその凸部に対応した凹部を設けることで，複数の基礎ブロックを重ねたときに，安定な状態となるという知見に基づく。
【０００６】
本発明は，ブロック本体１を有する組立式基礎ブロックに関する。この組立式基礎ブロックは，ブロック本体１の上面に設けられた１又は複数の凸部３ａ，３ｂ，３ｃ，３ｄと，  ブロック本体１の下面に設けられた１又は複数の凹部５ａ，５ｂ，５ｃ，５ｄを有する。
【０００７】
１又は複数の凹部５ａ，５ｂ，５ｃ，５ｄは，１又は複数の凸部３ａ，３ｂ，３ｃ，３ｄに対応した位置に設けられ，１又は複数の凸部３ａ，３ｂ，３ｃ，３ｄを収容できる形状を有するものである。
【０００８】
そして，ブロック本体１は，ブロック本体１を貫通する貫通穴９と，ブロック本体１の上面から途中まで続く穴であるインサート１１を有する。
【０００９】
組立式基礎ブロックは，ブロック本体１の中心を通って貫通する穴であり，ブロック本体１に柱を通すための建柱穴７をさらに有するものが好ましい。
【００１０】
ブロック本体１の上面の例は正方形である。そして，１又は複数の凸部の例は，ブロック本体１の上面の中点について９０°回転対称となる位置に設けられた４つの凸部である。
【００１１】
貫通穴９及びインサート１１の数の例は，をそれぞれ２つである。それぞれの貫通穴９を，ブロック本体１の上面の中点について９０°回転させた位置には，インサート１１が位置することが好ましい。
【発明の効果】
【００１２】
基礎構造を分割して軽量化し，希望する場所で組立てて基礎構造物を製造できるような組立式基礎ブロックを提供できる。
【図面の簡単な説明】
【００１３】
【図１】図１は，組立式基礎ブロックの基本構造例を示す概念図である。図１（ａ）は，組立式基礎ブロックを上面から見た様子を示す。図１（ｂ）は，組立式基礎ブロックを横から見た様子（Ａ−Ａ断面図）を示す。図１（ｃ）は，図１（ｂ）より製品高さが低い組立式基礎ブロックを横から見た様子を示す。
【図２】図２は，組立式基礎ブロックのうち最上部に位置するものの基本構造例を示す概念図である。図２（ａ）は，組立式基礎ブロックを上面から見た様子を示す。図２（ｂ）は，組立式基礎ブロックを横から見た様子を示す。図２（ｃ）は，図２（ｂ）より製品高さが低い組立式基礎ブロックを横から見た様子を示す。
【図３】図３は，組立式基礎ブロックを積み上げる例を説明するための図である。
【図４】図４は，組立式基礎ブロックの図１とは別の例を示す図である。
【図５】図５は，複数の組立式基礎ブロックを用いて得られた基礎構造物の概念図である。
【発明を実施するための形態】
【００１４】
以下，図面を用いて本発明を実施するための形態について説明する。本発明は，以下に説明する形態に限定されるものではなく，以下の形態から当業者が自明な範囲で適宜修正したものも含む。
【００１５】
図１は，組立式基礎ブロックの基本構造例を示す概念図である。図１（ａ）は，組立式基礎ブロックを上面から見た様子を示す。図１（ｂ）は，組立式基礎ブロックを横から見た様子（Ａ−Ａ断面図）を示す。図１（ｃ）は，図１（ｂ）より製品高さが低い組立式基礎ブロックを横から見た様子を示す。このブロックは，ブロック本体１を有する組立式基礎ブロックである。この組立式基礎ブロックは，複数のものを組み立てて，例えば，フェンス・ガードレール用基礎ブロックや工事現場用の基礎ブロック，建物の基礎となる基礎構造用の基礎ブロックとして用いることができる。
【００１６】
組立式基礎ブロックのブロック本体１の形状は，例えば，四角柱状（例えばひし形の中将や正方形の柱状）を基本として，凸部や凹部が設けられているものである。ブロック本体１の形状は，円柱状や楕円柱状であってもよいし，多角柱状であってもよい。ブロック本体１の中心には，柱を通すための建柱穴７や，そのほかの要素が存在してもよい。組立式基礎ブロックの素材の例は，コンクリート，プラスチック，金属，及び紙である。組立式基礎ブロックの素材として好ましいものは，コンクリートである。ブロック本体１の大きさは，組立式基礎ブロックの集合体である基礎ブロック（基礎構造）の大きさに合わせて，調整すればよい。一片の長さの例は，１０ｃｍ以上２ｍ以下であり，２０ｃｍ以上８０ｃｍ以下でもよく，運搬しやすいという観点からは，１ｍ以下や５０ｃｍ以下が好ましい。ブロック本体１の高さも，運搬しやすいという観点から適宜調整すればよい。ブロック本体１の高さの例は，５ｃｍ以上１ｍ以下であり，３ｃｍ以上５０ｃｍ以下でもよいし，５ｃｍ以上３０ｃｍ以下でもよい。
【００１７】
この組立式基礎ブロックは，ブロック本体１の上面に設けられた１又は複数の凸部３ａ，３ｂ，３ｃ，３ｄと，ブロック本体１の下面に設けられた１又は複数の凹部５ａ，５ｂ，５ｃ，５ｄとを有する。１又は複数の凸部３ａ，３ｂ，３ｃ，３ｄは，組立式基礎ブロックのブロック本体１と一体に成形されていてもよいし，組立式基礎ブロックのブロック本体１と別に設けられたものであってもよい。図１の例では，４つの凸部３ａ，３ｂ，３ｃ，３ｄが，四角柱状のブロック本体１の上面の各辺の中央から，上方に向かって形成されている。凸部の数は，１個又は２個でもよいし，３個や４個又はそれ以上であってもよい。凸部は，すべてが同じ形状であってもよいし，異なる形状であってもよい。凸部は，凹部とかみ合った際に，ブロック本体１に力が加わっても，容易に破損しないものであればよい。凸部の高さは，例えば，ブロック本体１の厚さの１／１０００以上１／２以下であり，１／１００以上１／１０以下でもよい。凸部の幅（凸部の最大の幅）の例は，ブロック本体１の一辺の長さの１／１０００以上１／２以下であり，１／１００以上１／１０以下でもよい。
【００１８】
１又は複数の凸部の例は，ブロック本体１の上面の中点について９０°回転対称となる位置に設けられた４つの凸部であることが好ましい。凸部の数は８個を含め４の倍数子であることが好ましい。つまり，ブロックを９０°（又は１８０°）回転させた場合，回転前に凸部があった位置に回転後は他の凸部が位置するものが好ましい。
【００１９】
ブロック本体１は，ブロック本体１の下面に設けられた１又は複数の凹部５ａ，５ｂ，５ｃ，５ｄを有する。１又は複数の凹部５ａ，５ｂ，５ｃ，５ｄは，１又は複数の凸部３ａ，３ｂ，３ｃ，３ｄに対応した位置に設けられ，１又は複数の凸部３ａ，３ｂ，３ｃ，３ｄを収容できる形状を有する。１又は複数の凸部３ａ，３ｂ，３ｃ，３ｄに対応した位置とは，同形のブロック本体１を重ねたときに，下に位置するブロック本体１の１又は複数の凸部３ａ，３ｂ，３ｃ，３ｄが，上に位置するブロック本体１の１又は複数の凹部５ａ，５ｂ，５ｃ，５ｄ内に収容される位置関係であることを意味する。
【００２０】
組立式基礎ブロックの例は，ブロック本体１が，ブロック本体１に柱を通すための建柱穴７を有するものである。複数の組立式基礎ブロックを組み立てた際に，この建柱穴７が複数連結されて，柱を通すことができるようになる。建柱穴７の例は，ブロック本体１の中心を通って貫通する穴である。
【００２１】
ブロック本体１を貫通する貫通穴９と，ブロック本体１の上面から途中まで続く穴であるインサート１１を有する。組立式基礎ブロックを組み立てた際に下層にあるインサート１１の上部に貫通穴９が位置することが好ましい。貫通穴９及びインサート１１の数の例は，をそれぞれ２つである。それぞれの貫通穴９を，ブロック本体１の上面の中点について９０°回転させた位置には，インサート１１が位置することが好ましい。貫通穴９を通して，インサート１１にボルトを挿入する。すると，上下の組立式基礎ブロックが固定されることとなる。インサートは，ボルトの一部が挿入され，ボルトの一部を収容するための要素である。貫通穴９及びインサート１１は回転対称となる位置に存在することが好ましい。貫通穴９及びインサート１１が回転対称となる位置にあるので，上層に位置する基礎ブロックを回転させた後に，下層に搭載した場合，下層の基礎ブロックのインサート１１に対応した位置に，上層の貫通穴９が存在することとなり，ボルトなどの連結手段（連結要素）を用いて，インサート１１と貫通穴９とを接続し，これにより下層と上層とを固定できる。この場合，貫通穴９とインサート１１（の中心穴）は，図１のように対角線上（であって，各角から同じ距離である位置）に存在するものが好ましい。
【００２２】
貫通穴９は，上記の目的を達成できる形状であれば，どのようなものであっても構わない。貫通穴９のブロック本体１の上面における形状が円形の場合，その直径の例は１ｃｍ以上４０ｃｍ以下であり，２ｃｍ以上１０ｃｍ以下でもよい。貫通穴９のブロック本体１の上面における形状が四角形（又は多角形）の場合，一片の長さの例は１ｃｍ以上２０ｃｍ以下であり，２ｃｍ以上１０ｃｍ以下でもよい。
【００２３】
インサート１１のブロック本体１の上面における形状が円形の場合，その直径の例は０．５ｃｍ以上１０ｃｍ以下であり，１ｃｍ以上４ｃｍ以下でもよい。インサート１１のブロック本体１の上面における形状が四角形（又は多角形）の場合，一片の長さの例は０．５ｃｍ以上１０ｃｍ以下であり，１ｃｍ以上４ｃｍ以下でもよい。
【００２４】
図２は，上部用の組立式基礎ブロックの基本構造例を示す概念図である。図２（ａ）は，組立式基礎ブロックを上面から見た様子を示す。図２（ｂ）は，組立式基礎ブロックを横から見た様子を示す。図２（ｃ）は，図２（ｂ）より製品高さが低い組立式基礎ブロックを横から見た様子を示す。上部用の組立式基礎ブロックは，その上に組立式基礎ブロックが存在しないので，又は複数の凸部３ａ，３ｂ，３ｃ，３ｄが存在していない。また，この例では，上部の各辺の角が面取りされている。
【００２５】
図３は，組立式基礎ブロックを積み上げる例を説明するための図である。図１（ａ）のような基礎ブロックをＡ層とすると，その状態から９０°回転させた状態の基礎ブロックをＢ層としてＡ層に搭載する。すると，Ａ層の２つのインサート１１の上部には，Ｂ層の貫通穴９が位置することとなる。その状態で，２つの貫通穴９からボルトを入れて，インサート１１と貫通穴とを固定する。すると，Ａ層とＢ層とが接続されることとなる。ボルトを挿入した後には，コーキング剤，充填剤，シーリング材又はコンクリートを貫通穴９から入れてもよい。目的とする高さ付近まで基礎ブロックを積み上げた後に，図２に示される最上部用の基礎ブロックを積み上げる。このようにして，基礎構造を得ることができる。その後は，例えば，建柱穴７に柱を通し，コンクリートを用いて柱と基礎構造とを固定する。
【００２６】
図４は，組立式基礎ブロックの図１とは別の例を示す図である。図４に示されるように，凸部（したがって凹部）は，各辺の中心ではない位置に存在してもよい。この場合，複数の凸部（したがって凹部）は，回転対称となる位置に存在することが好ましい。回転対称となる位置にあるので，上層に位置する基礎ブロックを回転させた後に，下層に搭載した場合でも，下層の基礎ブロックに対応した位置に，上層の凹部が存在することとなり，上層の凹部に下層の凸部がはまることとなる。この関係は，貫通穴９とインサート１１にも当てはまる。貫通穴９及びインサート１１は回転対称となる位置に存在することが好ましい。この場合，貫通穴９とインサート１１は，図１のように対角線上に存在するものでなくても，図４のように各辺の中心部分に貫通穴９又はインサート１１が存在するものでもよい。
【００２７】
図５は，複数の組立式基礎ブロックを用いて得られた基礎構造物の概念図である。
【産業上の利用可能性】
【００２８】
この発明は，組立式基礎ブロックに関するので，建設機材業や建設業において利用されうる。
【符号の説明】
【００２９】
１  ブロック本体
３ａ，３ｂ，３ｃ，３ｄ  凸部
５ａ，５ｂ，５ｃ，５ｄ  凹部
７  建柱穴
９  貫通穴
１１  インサート
【図１】
2019214875.tif 000003
【図２】
2019214875.tif 000004
【図３】
2019214875.tif 000005
【図４】
2019214875.tif 000006
【図５】
2019214875.tif 000007
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
第１，第２及び第３の組立式基礎ブロックをこの順で含む，基礎構造物であって，
第１，第２及び第３の組立式基礎ブロックは，同じ形状であり，それぞれ
ブロック本体（１）を有する組立式基礎ブロックであって，
前記ブロック本体（１）の正方形の上面の各辺の中央に設けられた４つの凸部（３ａ，３ｂ，３ｃ，３ｄ）と，
前記ブロック本体（１）の正方形の下面の各辺の中央に設けられた４つの凹部（５ａ，５ｂ，５ｃ，５ｄ）であって，前記４つの凸部（３ａ，３ｂ，３ｃ，３ｄ）に対応した位置に設けられ，前記４つの凸部（３ａ，３ｂ，３ｃ，３ｄ）を収容できる形状を有するものと，を有し，
前記ブロック本体（１）は，
前記ブロック本体（１）を貫通する２つの貫通穴（９）であって，前記上面の第１の対角線上であって，前記上面の中心に関して対称な位置に存在するものと，前記ブロック本体（１）の上面から途中まで続く穴である２つのインサート（１１）であって，前記上面の第２の対角線上であって，前記上面の中心に関して対称な位置に存在し，前記２つのインサート（１１）の中心間の距離が，前記2つの貫通穴（９）の中心間の距離と等しいものをさらに有する，組立式基礎ブロックであり，
第１の組立式基礎ブロックの前記２つのインサート（１１）の上部に第２の組立式基礎ブロックの前記２つの貫通穴（９）が位置し，
第１の組立式基礎ブロックの前記２つのインサート（１１）と，第２の組立式基礎ブロックの前記２つの貫通穴（９）とはボルトにより固定され，
第２の組立式基礎ブロックの前記２つのインサート（１１）の上部に第３の組立式基礎ブロックの前記２つの貫通穴（９）が位置し，
第２の組立式基礎ブロックの前記２つのインサート（１１）と，第３の組立式基礎ブロックの前記２つの貫通穴（９）とはボルトにより固定されている，
基礎構造物。
【請求項２】
請求項１に記載の基礎構造物であって，
第１，第２及び第３の組立式基礎ブロックは，前記ブロック本体（１）の中心を通って貫通する穴であり，前記ブロック本体（１）に柱を通すための建柱穴（７）をさらに有する，基礎構造物。